(57)【要約】対話型ディスプレイに提示されたメッセージを記録するカメラ（４００）を備えた対話型ディスプレイ（１００）。該メッセージは、前記メッセージが意図された人物の名前を有する。該人物が顔認識によってカメラ（４００）を介して、又は音声認識を介して音声レコーダ（１０２）を介して認識された場合、対話型ディスプレイ（１００）は該人物に前記メッセージを表示する。対話型ディスプレイ（１００）が利用されていないとき、即ち該対話型ディスプレイがメッセージを記録するために利用されておらず、表示されるメッセージを起動することができるカメラ（４００）の視界内に人物が居ないとき、前記対話型ディスプレイは鏡として利用されることができる。
2004534317.tif 000002
【特許請求の範囲】
【請求項１】
対話型ディスプレイであって、
前記対話型ディスプレイに提示されたメッセージを記録する記録手段と、
前記対話型ディスプレイを介して前記メッセージを再生する再生手段と、
を有する対話型ディスプレイであって、
人物の特徴を識別する識別手段と、
前記人物の特徴が前記メッセージの意図された受信者と合致するか否かを検証し、合致する場合は、前記対話型ディスプレイを介して前記メッセージを再生するために前記再生手段を起動する検証手段と、
を更に有することを特徴とする対話型ディスプレイ。
【請求項２】
前記記録手段は、前記メッセージを前記対話型ディスプレイに手書きすることにより前記メッセージが前記対話型ディスプレイに提示された場合に、前記メッセージを記録する、請求項１に記載の対話型ディスプレイ。
【請求項３】
前記記録手段は、前記メッセージを前記対話型ディスプレイに話すことにより前記メッセージが前記対話型ディスプレイに提示された場合に、前記メッセージを記録する、請求項１に記載の対話型ディスプレイ。
【請求項４】
前記識別手段は、顔認識によって前記人物の特徴を識別する、請求項１に記載の対話型ディスプレイ。
【請求項５】
前記識別手段は、音声認識によって前記人物の特徴を識別する、請求項１に記載の対話型ディスプレイ。
【請求項６】
前記対話型ディスプレイに対向する周りをほぼ映す反射手段を更に有する、請求項１に記載の対話型ディスプレイ。
【請求項７】
インタフェース手段に準拠する装置とインタフェースする前記インタフェース手段を更に有する、請求項１に記載の対話型ディスプレイ。
【請求項８】
メッセージを表示する方法であって、
対話型ディスプレイに提示された前記メッセージを記録するステップと、
前記対話型ディスプレイを介して前記メッセージを再生するステップと、
を有する方法であって、
人物の特徴を識別するステップと、
前記人物の特徴が前記メッセージの意図された受信者と合致することを検証し、合致する場合は、前記対話型ディスプレイを介して前記メッセージを再生するステップを起動するステップと、
を更に有することを特徴とする方法。
【請求項９】
前記メッセージは、前記対話型ディスプレイに前記メッセージを書き込むことにより前記対話型ディスプレイに提示される、請求項８に記載のメッセージを表示する方法。
【請求項１０】
前記メッセージは、前記対話型ディスプレイに前記メッセージを話すことにより前記対話型ディスプレイに提示される、請求項８に記載のメッセージを表示する方法。
【発明の詳細な説明】
【０００１】
【発明の属する技術分野】
本発明は、対話型ディスプレイであって、
対話型ディスプレイに提示されたメッセージを記録する記録手段と、
前記対話型ディスプレイを介して前記メッセージを再生する再生手段と、
を有する対話型ディスプレイに関する。
【０００２】
更に本発明は、メッセージを表示する方法であって、
対話型ディスプレイに提示された前記メッセージを記録するステップと、
前記対話型ディスプレイを介して前記メッセージを再生するステップと、
を有するメッセージを表示する方法に関する。
【０００３】
【従来の技術】
上述したような対話型ディスプレイの実施例は、国際特許公開公報ＷＯ／５８８５０より知られている。ここでは、ユーザの写真を撮るカメラを有する写真キオスク（ｐｈｏｔｏ ｋｉｏｓｋ）が開示されている。前記写真は電子画像に変換される。前記画像は、前記画像を明示的に選択すること又は前記画像を消去して前記カメラに他の写真を撮らせることを要求されているユーザに向けて、モニタ上に表示される。前記選択された画像は保存され、前記写真キオスクはバナーメッセージ、テキストのメッセージ及び／又は音声のメッセージが前記保存されたメッセージに付加されることができることをユーザに通知する。例えばユーザが所定のバナーメッセージを追加したとき、前記ユーザは前記キオスクのキーボード及び／又はタッチスクリーンモニタを通して選択を入力することによって、前記モニタ上に表示された前記バナーから選択を為す。前記バナーは前記キオスクによって前記画像に重畳され、その結果の画像が前記モニタ上に表示される。前記メッセージの作成を完了した後、前記ユーザは電子メールアドレスに前記画像を送信することを選択することができ、又は前記ユーザは着脱可能なディスクに前記画像を保存することができる。前記ユーザが電子メールアドレスに前記画像を送信することを選択した場合、前記ユーザは該アドレスを明示的に入力するように要求される。
【０００４】
【発明が解決しようとする課題】
かくして、各動作について前記ユーザは前記キオスクによって指示される明示的な動作を実行する必要がある。
【０００５】
本発明の目的は、ユーザが対話型ディスプレイとより自然に対話することを可能にする対話型ディスプレイを提供することにある。
【０００６】
【課題を解決するための手段】
本目的を達成するため、本明細書の前段による対話型ディスプレイは、
人物の特徴を識別する識別手段と、
前記人物の特徴が前記メッセージの意図された受信者と合致するか否かを検証し、合致する場合は、前記対話型ディスプレイを介して前記メッセージを再生するために前記再生手段を起動する検証手段と、
を更に有することを特徴とする。前記メッセージの意図された受信者を識別する特徴を顕示する人物へのメッセージの再生を起動することにより、該人物は自動的に該人物向けに意図されたこれらのメッセージを、該人物が前記対話型の装置に明示的な動作を実行する必要なく受信する。更に、例えば前記メッセージ自身から、該メッセージの意図された受信者を認識することにより、前記意図された受信者は容易に識別されることができる。例えば、前記メッセージが前記意図された受信者の名前で始まる場合、前記名前は前記メッセージから抽出され、前記意図された受信者を識別するために利用される。
【０００７】
本発明による対話型ディスプレイの実施例は請求項２に記載される。前記対話型ディスプレイに前記メッセージを書き込むことにより、前記メッセージの入力は、他の人物のために意図された、又は自身へのメモ書きとしての紙のメモを書き込むかのように実行されることができる。
【０００８】
本発明による対話型ディスプレイの実施例は請求項３に記載される。前記メッセージを記録するために音声を用いることにより、前記メッセージは自然な方法によって、前記ディスプレイに触れる必要なく前記対話型ディスプレイとの特定の距離から記録されることができる。このことは例えば、前記メッセージを記録している人物の手がふさがっているときに有用である。
【０００９】
本発明による対話型ディスプレイの実施例は請求項４に記載される。顔認識を用いて人物を識別することにより、前記メッセージの再生は、前記人物が前記対話型ディスプレイの前を歩いたとき又は前に立ったときに起動される。
【００１０】
本発明による対話型ディスプレイの実施例は請求項５に記載される。音声認識を用いて人物を識別することにより、前記メッセージの再生は、前記人物が前記人物向けに意図された全てのメッセージを表示することができる前記対話型ディスプレイに話しかけたときに起動される。
【００１１】
本発明による対話型ディスプレイの実施例は請求項６に記載される。前記対話型ディスプレイに反射性の表面を備えることにより、前記対話型ディスプレイはメッセージを表示していないときには鏡として利用されることができる。
【００１２】
本発明による対話型ディスプレイの実施例は請求項７に記載される。前記対話型ディスプレイにインタフェースを備えることにより、メッセージを作成するために他の装置が前記対話型ディスプレイに接続されることができる。デジタルビデオカメラはかような装置の例であり、ビデオの一部分が前記メッセージに追加されることができる。
【００１３】
本明細書の前段による対話型ディスプレイの他の実施例は、一般的に前記ディスプレイの前に立つ人物を録画するレコーダを有する対話型ディスプレイから知られている。前記録画された人物は、後のある時点で再生される。例として、これは人物が服を着付けしている間に利用される。前記人物の背面を見るために、前記人物は前記ディスプレイに背を向けることができ、前記ディスプレイは前記人物の背面を録画する。次いで前記人物が再び前記ディスプレイの方を向いたとき、前記人物は前記人物の録画された背面を見ることができる。かくして前記対話型ディスプレイは時間が遅れる鏡のように振る舞う。しかしながら、前記ユーザはこの時間が遅れる鏡と更に対話することはできない。
【００１４】
本発明の目的は、ユーザが対話型ディスプレイとより自然に対話することを可能にする、本明細書の前段による方法を提供することにある。この目的を達成するため、前記方法は、
人物の特徴を識別するステップと、
前記人物の特徴が前記メッセージの意図された受信者と合致することを検証し、合致する場合は、前記対話型ディスプレイを介して前記メッセージを再生するステップを起動するステップと、
を更に有することを特徴とする。
【００１５】
本発明の実施例は、請求項９乃至１０に記載される。
【００１６】
本発明は、図によって例示される実施例によって説明される。
【００１７】
【発明の実施の形態】
図１は、メッセージを記録するための本発明による対話型ディスプレイ１００を示す。対話型ディスプレイ１００は音声レコーダ１０２とコンピュータ装置１０６を有する。コンピュータ装置１０６は、本発明の範囲内で利用される異なるアルゴリズムについて処理を提供し、前記記録されたメッセージを保存し取得するためのデータベース１０８を有する。前記データベースは、例えば前記人物の気に入ったレシピを保存するためなどの、他の目的のために利用されることもできる。人物Ａが人物Ｂに、例えば幾つかジャガイモを買うために食料品店に行くようにとのメッセージを残したい状況を考える。このとき人物Ａは前記対話型ディスプレイ１００の前に立ち、「Ｂさん、幾つかジャガイモを買ってください」と言うことができる。音声レコーダ１０２はこの話されたメッセージを記録する。該メッセージは次いでコンピュータ装置１０６へ転送される。前記コンピュータ装置は、前記話されたテキストを例えばＡＳＣＩＩなどのコンピュータ可読なテキストに翻訳する翻訳アルゴリズムを含む。次いで、パーサが前記コンピュータ可読なテキストをパースし、前記テキストから単語を引き出す。各単語は次いでデータベース１０８の内容と比較される。該データベースは人物毎に以下のパラメータを有する。即ち名前、該人物の顔を認識するために必要なパラメータ、該人物の音声を認識するために必要なパラメータ、ステータス及び該人物のために意図された記録されたメッセージである。表１を参照されたい。しかしながら、これらのパラメータの下位の選択又は拡張も、本発明の着想を提供するために利用されることができる。
【００１８】
【表１】
2004534317.tif 000003
【００１９】
前記メッセージ内のある単語が、列「名前」内の名前と等しい場合、前記記録されたメッセージは、意図された受信者のために列「メッセージ」内に保存される。当業者には容易に導き出せるように、前記意図された受信者のために前記記録されたメッセージを追加する他の方法も利用されることができる。本例の中では、名前「Ｂ」は前記メッセージから引き出され、「Ｂさん、幾つかジャガイモを買ってください」というメッセージは人物Ｂのためのメッセージのリストに追加される。該リストは既に他のメッセージ「Ｂさん、映画館で午後８時に。Ｃより」を含んでいたとする。該リストは異なった方法で保存されることができる。即ち、最近記録されたものを一番上に若しくは下に記録する、又は内容に依存して保存するといった方法である。後者の場合、前記パーサは全ての種類の時間の形式を認識することができる。「ステータス」と標記された列は、どのメッセージが意図された受信者が見ることが許可されたものかを示す。ステータス１は、前記人物が該人物のメッセージのみを見ることが許可されていることを意味し、一方ステータス２は、前記人物は全てのメッセージを見ることが許可されていることを意味する。この「ステータス」は、データベース１０８の内容へのアクセス権を制御するための全ての種類の目的に利用されることができる。
【００２０】
図２は、手書きのメッセージのための本発明による対話型ディスプレイを示す。このとき人物Ａはメッセージ２００を対話型ディスプレイ１００の表面に書き留める。この場合、対話型ディスプレイ１００は前記メッセージが書き込まれるタッチスクリーン２０２を有する。次いで、手書き読み取りのためのアルゴリズムが、前記スクリーンから前記メッセージを読み取り、例えばＵＮＩＣＯＤＥのようなコンピュータ可読なテキストに翻訳する。該コンピュータ可読なテキストから、前記パーサは前記意図された受信者の名前を引き出し、上述したように前記意図された受信者のためのメッセージを追加することができる。
【００２１】
図３は、メッセージ内に写真（ｐｉｃｔｕｒｅ）を刷り込むための本発明による対話型ディスプレイを示す。本実施例の中では、対話型ディスプレイ１００は、その表面に押し付けられた写真３０２をスキャンすることができるスキャナ３００を有する。写真３０２は、表面に対して該写真が保持された位置と基本的に同じ位置において所謂壁紙として対話型ディスプレイ１００上に表示されることができる。次いで、写真３０２は前記データベースに、あて先のないメッセージの汎用のコンテナを示す「汎用」という名前を含む行内に追加される。ユーザがメッセージ内に写真３０２を記録したい場合は、前記ユーザは単に該写真を、前記メッセージが前記意図された受信者のために表示されるときに該写真が表示されるべき位置に置くことができる。スキャナ３００は該写真の位置を記録し、前記手書き読み取りのためのアルゴリズムは該位置を、どの写真が該位置に表示されるべきであるかを示すリンクと共に前記コンピュータ可読なテキストに追加する。
【００２２】
図４は、記録されたメッセージを表示するための本発明による対話型ディスプレイ１００を示す。前記意図された受信者である人物Ｂのために手書きにより記録された、記録されたメッセージ２００を考える。対話型ディスプレイ１００は更にカメラ４００を有する。人物Ｂがカメラ４００の前に立ったとき、カメラ４００は前記人物の顔を記録し、顔認識アルゴリズムが合致するパターンを探すため前記データベースを検索する。人物Ｂは、
【外１】
2004534317.tif 000004
に合致する顔認識可能な特徴を持つとする。このとき、前記アルゴリズムは「Ｂさん、幾つかジャガイモを買ってください」及び「Ｂさん、映画館で午後８時に。Ｃより」という人物Ｂのためのメッセージを前記データベースから取得し、これらのメッセージを前記対話型ディスプレイに表示する。幾らかの時間の後、人物Ｂがカメラ４００の視界の外に動いた後に、前記メッセージは前記対話型ディスプレイ１００から消える。該時間は設定することができる。メッセージの数が対話型ディスプレイ１００の高さを超える場合は、人物Ｂのために意図された全てのメッセージを人物Ｂが見ることができるようにするために、スクロールバー４０６又は当業者には良く知られた他のいずれのユーザインタフェース装置がディスプレイ上に現れる。かくして人物Ｂは、表示されるメッセージを起動するために前記対話型ディスプレイを用いて明示的な動作を実行する必要はない。
【００２３】
前記意図された受信者、即ち人物Ｂのために話されたメッセージを通して記録された、前記記録されたメッセージを考える。人物Ｂが音声レコーダ１０２に話したとき、音声認識アルゴリズムは合致する音声パターンを探すため前記データベースを検索する。人物Ｂは、
【外２】
2004534317.tif 000005
に合致する音声認識可能な特徴を持つとする。このとき、前記音声認識アルゴリズムは「Ｂさん、幾つかジャガイモを買ってください」４０２及び「Ｂさん、映画館で午後８時に。Ｃより」４０４という人物Ｂのためのメッセージを前記データベースから取得し、上述したように、これらのメッセージ４０２及び４０４を前記対話型ディスプレイに表示する。
【００２４】
人物Ｂが再びメッセージを見たくはない場合、該人物Ｂは削除する身振りによって、該人物Ｂの手で全体のメッセージを触ることにより該メッセージを消去することができる。例えば音声の制御を介して起動されることができ、基本的な編集機能（消去、コピー、変更）を提供するコントロールパネルのような、他のユーザインタフェースの対話も可能である。
【００２５】
更に、対話型ディスプレイ１００は、例えばブルートゥース（ｂｌｕｅ ｔｏｏｔｈ）プロトコルに準拠するインタフェース４０８を有する。このときメッセージを作成する前記ユーザは、作成されているメッセージから写真を取得するための、及び該メッセージに該写真を追加するための、ブルートゥースに同様に準拠するデジタルカメラ４１０を利用することができる。
【００２６】
図５は管理制御スクリーン５００を示す。該スクリーンを通して、前記対話型ディスプレイと対話するために人物がデータベース１０８に追加されることができる。この管理制御スクリーンのレイアウトは、主な制御を提供する例として解釈されるべきである。制御スクリーン５００は、音声制御によって又は対話型ディスプレイ１００の所定の領域５０２を押下することによって、対話型ディスプレイ１００上に起動される。人物の前記ステータスに依存して、人物は前記データベースに人物を追加若しくは前記データベースから人物を消去すること、又は「汎用」という項目を変更することを許可される。更に、前記人物は、該人物の前記ステータスに依存して記録された全てのメッセージを見ることができる。
【００２７】
図６は、音声レコーダ１０２、カメラ４００、コンピュータ装置１０６、データベース１０８、タッチスクリーン２０２及びインタフェース４０８といった主な装置が接続された対話型ディスプレイ１００を示す。更に、対話型ディスプレイ１００は、対話型ディスプレイ１００の前に置かれた物体を映す反射性の層６０２を備える。かくして、対話型ディスプレイ１００は鏡のように振る舞い、該対話型ディスプレイの前に置かれた花６００を映す。
【図面の簡単な説明】
【図１】メッセージを記録するための本発明による対話型ディスプレイを示す。
【図２】手書きのメッセージのための本発明による対話型ディスプレイを示す。
【図３】メッセージ内に写真を刷り込むための本発明による対話型ディスプレイを示す。
【図４】記録されたメッセージを表示するための本発明による対話型ディスプレイを示す。
【図５】管理制御スクリーンを示す。
【図６】主な装置が接続された対話型ディスプレイを示す。
【国際公開パンフレット】
2004534317.tif 000006
2004534317.tif 000007
2004534317.tif 000008
2004534317.tif 000009
2004534317.tif 000010
2004534317.tif 000011
2004534317.tif 000012
2004534317.tif 000013
2004534317.tif 000014
2004534317.tif 000015
2004534317.tif 000016
【国際調査報告】
2004534317.tif 000017
2004534317.tif 000018
2004534317.tif 000019